【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
無認可スペクトルにおけるワイヤレス信号送信を送信することと、
前記無認可スペクトルにおける前記ワイヤレス信号送信の特性を識別することと、
前記特性に少なくとも部分的に基づいて、干渉信号が検出され得る少なくとも１つの干渉検出機会を識別することと、
前記干渉検出機会をモニタすることと、
前記モニタすることに応答して干渉信号の存在を決定することと、
前記決定に基づいて干渉を緩和することと
を備える、方法。
【請求項２】
前記干渉検出機会は、無認可スペクトルにおけるロングタームエボリューション（ＬＴＥ）信号送信の不在を有するものとして識別された時間期間または周波数帯域のうちの１つまたは複数を備える、
請求項１に記載の方法。
【請求項３】
前記干渉検出機会は、無認可スペクトルにおけるＬＴＥ信号送信期間または周波数帯域に隣接するシグナリング期間または周波数帯域のうちの少なくとも１つを備える、
請求項１に記載の方法。
【請求項４】
前記干渉検出機会は、無認可スペクトルにおけるＬＴＥ信号送信中の１つまたは複数の予約されたヌルトーンを備え、前記予約されたヌルトーンは、無認可スペクトルにおけるＬＴＥ信号送信内の前記予約された空リソースブロック（ＲＢ）または前記無認可スペクトルにおける前記ＬＴＥ信号送信の周波数帯域のエッジにＲＢのうちの少なくとも１つを備える、
請求項１に記載の方法。
【請求項５】
エネルギー検出を拡張するために、前記周波数帯域の前記エッジに１つまたは複数のヌルＲＢを予約することと、
各キャリアの前記周波数帯域の前記エッジで前記１つまたは複数の予約されたヌルＲＢを送信することと
をさらに備える、請求項４に記載の方法。
【請求項６】
無線リソース制御（ＲＲＣ）シグナリング、システム情報ブロック（ＳＩＢ）シグナリング、メディアアクセス制御（ＭＡＣ）制御要素、または少なくとも１つのユーザ機器によって可読なダウンリンク許可のうちの１つまたは複数を通して１つまたは複数のヌルトーンまたはＲＢのロケーションをシグナリングすることをさらに備える、
請求項４に記載の方法。
【請求項７】
前記決定することは、
前記干渉検出機会中に受信された信号のエネルギーを計算することと、
前記計算されたエネルギーが雑音フロアしきい値よりも大きいとき、干渉信号が存在すると決定することと
を備える、請求項１に記載の方法。
【請求項８】
前記干渉検出機会は、無認可スペクトルにおけるＬＴＥ信号送信中の２つまたはそれ以上の予約されたヌルトーンを備え、前記受信された信号の前記エネルギーを計算することは、前記干渉検出機会中に受信された信号の平均エネルギーを計算することを備える、
請求項７に記載の方法。
【請求項９】
前記ワイヤレス信号送信の前記特性は、無認可スペクトルにおけるＬＴＥ信号２次周期性と、干渉信号２次周期性とを備える、
請求項１に記載の方法。
【請求項１０】
前記ＬＴＥ２次周期性は、６６．７マイクロ秒であり、前記干渉信号２次周期性は、３．２マイクロ秒である、
請求項９に記載の方法。
【請求項１１】
前記無認可スペクトルにおける送信をモニタすることは、
前記無認可スペクトルにおける１つまたは複数のキャリア周波数上で１つまたは複数の送信を受信することと、
前記受信されたキャリア周波数の各々上に変調された１つまたは複数の信号の２次周期性を決定することと
を備える、請求項１に記載の方法。
【請求項１２】
前記干渉信号の存在を決定することは、前記受信されたキャリア周波数の各々上に変調された前記１つまたは複数の信号の前記２次周期性に基づき、前記ワイヤレス信号送信および干渉信号送信の前記伝送特性に基づく、
請求項１１に記載の方法。
【請求項１３】
前記干渉信号の存在を決定することは、前記受信されたキャリア周波数がＬＴＥ２次周期性と干渉信号２次周期性の両方を呈するかどうかを決定することを備える、または、前記干渉信号の前記存在を決定することは、前記受信されたキャリア周波数が無認可スペクトルにおけるＬＴＥ信号２次周期性とは異なる２次周期性を呈するかどうかを決定することを備える、
請求項１１に記載の方法。
【請求項１４】
請求項１乃至１３のうちのいずれか１項に記載の方法を実行するための手段を備える、ワイヤレス通信のための装置。
【請求項１５】
プロセッサによって実行されるとき、請求項１乃至１３のうちのいずれか１項に記載の方法を実行する命令を記憶するコンピュータ可読媒体。
【手続補正２】
【補正対象書類名】明細書
【補正対象項目名】０１２１
【補正方法】変更
【補正の内容】
【０１２１】
[0131]本開示の前述の説明は、当業者が本開示を実施または使用することができるように与えたものである。本開示への様々な変更は当業者には容易に明らかであり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ワイヤレス通信のための方法であって、
無認可スペクトルにおけるワイヤレス信号送信のための特性を識別することと、
前記特性に少なくとも部分的に基づいて、前記無認可スペクトルにおける干渉信号が検出され得る少なくとも１つの干渉検出機会を識別することと、
前記干渉検出機会中に前記無認可スペクトルにおける送信をモニタすることと、
前記モニタすることに応答して干渉信号の存在を決定することと、
前記決定に基づいて干渉を緩和することと
を備える、方法。
［Ｃ２］
前記干渉検出機会は、無認可スペクトルにおけるロングタームエボリューション（ＬＴＥ）信号送信の不在を有するものとして識別された時間期間または周波数帯域のうちの１つまたは複数を備える、
Ｃ１に記載の方法。
［Ｃ３］
前記干渉検出機会は、無認可スペクトルにおけるＬＴＥ信号送信期間または周波数帯域に隣接するシグナリング期間または周波数帯域のうちの少なくとも１つを備える、
Ｃ１に記載の方法。
［Ｃ４］
前記干渉検出機会は、無認可スペクトルにおけるＬＴＥ信号送信中の１つまたは複数の予約されたヌルトーンを備え、前記予約されたヌルトーンは、無認可スペクトルにおけるＬＴＥ信号送信内の前記予約された空リソースブロック（ＲＢ）または前記無認可スペクトルにおける前記ＬＴＥ信号送信の周波数帯域のエッジにＲＢのうちの少なくとも１つを備える、
Ｃ１に記載の方法。
［Ｃ５］
エネルギー検出を拡張するために、前記周波数帯域の前記エッジに１つまたは複数のヌルＲＢを予約することと、
各キャリアの前記周波数帯域の前記エッジで前記１つまたは複数の予約されたヌルＲＢを送信することとをさらに備える、Ｃ４に記載の方法。
［Ｃ６］
無線リソース制御（ＲＲＣ）シグナリング、システム情報ブロック（ＳＩＢ）シグナリング、メディアアクセス制御（ＭＡＣ）制御要素、または少なくとも１つのユーザ機器によって可読なダウンリンク許可のうちの１つまたは複数を通して１つまたは複数のヌルトーンまたはＲＢのロケーションをシグナリングすることをさらに備える、
Ｃ４に記載の方法。
［Ｃ７］
前記決定することは、
前記干渉検出機会中に受信された信号のエネルギーを計算することと、
前記計算されたエネルギーが雑音フロアしきい値よりも大きいとき、干渉信号が存在すると決定することと
を備える、Ｃ１に記載の方法。
［Ｃ８］
前記干渉検出機会は、無認可スペクトルにおけるＬＴＥ信号送信中の２つまたはそれ以上の予約されたヌルトーンを備え、前記受信された信号の前記エネルギーを計算することは、前記干渉検出機会中に受信された信号の平均エネルギーを計算することを備える、
Ｃ７に記載の方法。
［Ｃ９］
前記ワイヤレス信号送信の前記特性は、無認可スペクトルにおけるＬＴＥ信号２次周期性と、干渉信号２次周期性とを備える、
Ｃ１に記載の方法。
［Ｃ１０］
前記ＬＴＥ２次周期性は、６６．７マイクロ秒であり、前記干渉信号２次周期性は、３．２マイクロ秒である、
Ｃ９に記載の方法。
［Ｃ１１］
前記無認可スペクトルにおける送信をモニタすることは、
前記無認可スペクトルにおける１つまたは複数のキャリア周波数上で１つまたは複数の送信を受信することと、
前記受信されたキャリア周波数の各々上に変調された１つまたは複数の信号の２次周期性を決定することと
を備える、Ｃ１に記載の方法。
［Ｃ１２］
前記干渉信号の存在を決定することは、前記受信されたキャリア周波数の各々上に変調された前記１つまたは複数の信号の前記２次周期性に基づき、前記ワイヤレス信号送信および干渉信号送信の前記伝送特性に基づく、
Ｃ１１に記載の方法。
［Ｃ１３］
前記干渉信号の存在を決定することは、前記受信されたキャリア周波数がＬＴＥ２次周期性と干渉信号２次周期性の両方を呈するかどうかを決定することを備える、
Ｃ１１に記載の方法。
［Ｃ１４］
前記干渉信号の前記存在を決定することは、前記受信されたキャリア周波数が無認可スペクトルにおけるＬＴＥ信号２次周期性とは異なる２次周期性を呈するかどうかを決定することを備える、
Ｃ１１に記載の方法。
［Ｃ１５］
プロセッサと、
前記プロセッサに結合されたメモリと
を備え、前記プロセッサは、
無認可スペクトルにおけるワイヤレス信号送信のための特性を識別することと、
前記特性に少なくとも部分的に基づいて、前記無認可スペクトルにおける干渉信号が検出され得る少なくとも１つの干渉検出機会を識別することと、
前記干渉検出機会中に前記無認可スペクトルにおける送信をモニタすることと、
前記モニタすることに応答して干渉信号の存在を決定することと
を行うように構成された、ワイヤレス通信のための装置。
［Ｃ１６］
前記干渉検出機会は、無認可スペクトルにおけるロングタームエボリューション（ＬＴＥ）信号送信の不在を有するものとして識別された時間期間または周波数帯域のうちの１つまたは複数を備える、
Ｃ１５に記載の装置。
［Ｃ１７］
前記干渉検出機会は、無認可スペクトルにおけるＬＴＥ信号送信期間または周波数帯域に隣接するシグナリング期間または周波数帯域のうちの少なくとも１つを備える、
Ｃ１５に記載の装置。
［Ｃ１８］
前記干渉検出機会は、無認可スペクトルにおけるＬＴＥ信号送信中の１つまたは複数の予約されたヌルトーンを備え、前記予約されたヌルトーンは、無認可スペクトルにおけるＬＴＥ信号送信内の前記予約された空リソースブロック（ＲＢ）または前記無認可スペクトルにおける前記ＬＴＥ信号送信の周波数帯域のエッジにＲＢのうちの少なくとも１つを備える、
Ｃ１５に記載の装置。
［Ｃ１９］
前記プロセッサは、
エネルギー検出を拡張するために、前記周波数帯域の前記エッジに１つまたは複数のヌルＲＢを予約することと、
各キャリアの前記周波数帯域の前記エッジで前記１つまたは複数の予約されたヌルＲＢを送信することとを行うようにさらに構成された、Ｃ１８に記載の装置。
［Ｃ２０］
前記プロセッサは、無線リソース制御（ＲＲＣ）シグナリング、システム情報ブロック（ＳＩＢ）シグナリング、メディアアクセス制御（ＭＡＣ）制御要素、または少なくとも１つのユーザ機器によって可読なダウンリンク許可のうちの１つまたは複数を通して前記ヌルトーンのロケーションをシグナリングするようにさらに構成された、
Ｃ１８に記載の装置。
［Ｃ２１］
前記プロセッサは、
前記干渉検出機会中に受信された信号のエネルギーを計算することと、
前記計算されたエネルギーが雑音フロアしきい値よりも大きいとき、干渉信号が存在すると決定することとを行うようにさらに構成された、
Ｃ１５に記載の装置。
［Ｃ２２］
前記ワイヤレス信号送信の前記特性は、無認可スペクトルにおけるＬＴＥ信号２次周期性と、干渉信号２次周期性とを備える、
Ｃ１５に記載の装置。
［Ｃ２３］
前記ＬＴＥ２次周期性は、６６．７マイクロ秒であり、前記干渉信号２次周期性は、３．２マイクロ秒である、
Ｃ１５に記載の装置。
［Ｃ２４］
前記無認可スペクトルにおける送信をモニタすることは、
前記無認可スペクトルにおける１つまたは複数のキャリア周波数上で１つまたは複数の送信を受信することと、
前記受信されたキャリア周波数の各々上に変調された１つまたは複数の信号の２次周期性を決定することと
を備える、Ｃ１５に記載の装置。
［Ｃ２５］
前記干渉信号の存在を決定することは、前記受信されたキャリア周波数の各々上に変調された前記１つまたは複数の信号の前記２次周期性に基づき、前記ワイヤレス信号送信および干渉信号送信の前記伝送特性に基づく、
Ｃ２４に記載の装置。
［Ｃ２６］
前記干渉信号の存在を決定することは、前記受信されたキャリア周波数がＬＴＥ２次周期性と干渉信号２次周期性の両方を呈するかどうかを決定することを備える、
Ｃ２４に記載の装置。
［Ｃ２７］
無認可スペクトルにおけるワイヤレス信号送信のための特性を識別するための手段と、
前記特性に少なくとも部分的に基づいて、前記無認可スペクトルにおける干渉信号が検出され得る少なくとも１つの干渉検出機会を識別するための手段と、
前記干渉検出機会中に前記無認可スペクトルにおける送信をモニタするための手段と、
前記モニタすることに応答して干渉信号の存在を決定するための手段と
を備える、ワイヤレス通信のための装置。
［Ｃ２８］
前記ワイヤレス信号送信の前記特性は、無認可スペクトルにおけるＬＴＥ信号２次周期性と、干渉信号２次周期性とを備える、
Ｃ２７に記載の装置。
［Ｃ２９］
前記無認可スペクトルにおける送信をモニタするための手段は、
前記無認可スペクトルにおける１つまたは複数のキャリア周波数上で１つまたは複数の送信を受信するための手段と、
前記受信されたキャリア周波数の各々上に変調された１つまたは複数の信号の２次周期性を決定するための手段と
を備える、Ｃ２７に記載の装置。
［Ｃ３０］
無認可スペクトルにおけるワイヤレス信号送信のための特性を識別するための命令と、
前記特性に少なくとも部分的に基づいて、前記無認可スペクトルにおける干渉信号が検出され得る少なくとも１つの干渉検出機会を識別するための命令と、
前記干渉検出機会中に前記無認可スペクトルにおける送信をモニタするための命令と、
前記モニタすることに応答して干渉信号の存在を決定するための命令と
を備える、プロセッサによって実行可能な命令を記憶するコンピュータ可読媒体。